(57)【特許請求の範囲】
【請求項１】
温度が経時的に上下する熱源と、
前記熱源の温度変化により温度が経時的に上下され、電気分極する第１デバイスと、
前記第１デバイスから電力を取り出すように構成される回路を形成する第２デバイスと、
前記第１デバイスの温度を検知する検知手段と、
前記第１デバイスに正電圧または負電圧を印加するように構成される電圧印加手段と、
前記検知手段によって検知される前記第１デバイスの温度に応じて、前記電圧印加手段を制御するための制御手段と
を備え、
前記制御手段は、
前記第１デバイスが昇温状態であるときに、前記第１デバイスに正電圧を印加し、
前記第１デバイスが降温状態であるときに、前記第１デバイスに負電圧を印加する
ように、前記電圧印加手段を制御する
ことを特徴とする、発電システム。
【発明の詳細な説明】
【技術分野】
【０００１】
本発明は、発電システム、詳しくは、自動車などの車両に搭載される発電システムに関する。
【背景技術】
【０００２】
従来、自動車エンジンなどの内燃機関や、ボイラー、空調設備などの熱交換器、発電機、モータなどの電動機関、照明などの発光装置などの各種エネルギー利用装置では、例えば、排熱、光などとして、多くの熱エネルギーが放出および損失されている。
【０００３】
近年、省エネルギー化の観点から、放出される熱エネルギーを回収し、エネルギー源として再利用することが要求されている。そのようなシステムとして、具体的には、例えば、温度が経時的に上下する熱源と、その熱源の温度変化に応じて、ピエゾ効果、焦電効果、ゼーベック効果などにより電気分極する第１デバイス（誘電体など）と、第１デバイスから電力を取り出すため、第１デバイスを挟むように対向配置される第２デバイス（電極など）とを備える発電システムが提案されており、さらに、より効率的に発電するために、第１デバイスの昇温中に電圧を印加し、降温中には電圧の印加を停止することが提案されている。また、その発電システムを自動車などに積載すること、さらには、そのような場合に第１デバイス（誘電体など）を自動車の排ガスが供給される排気管内に配置することが、提案されている（例えば、特許文献１参照。）。
【０００４】
上記した発電システムでは、得られた電力は、第１デバイスから第２デバイスを介してバッテリーに蓄積され、必要に応じて消費可能とされる。
【先行技術文献】
【特許文献】
【０００５】
【特許文献１】特開２０１４−１１３０２８号公報
【発明の概要】
【発明が解決しようとする課題】
【０００６】
一方、このような発電システムとしては、さらに効率よく第１デバイスから電力を取り出すことが要求される。
【０００７】
そこで、本発明の目的は、優れた効率で第１デバイスから電力を取り出すことができる発電システムを提供することにある。
【課題を解決するための手段】
【０００８】
上記目的を達成するため、本発明の発電システムは、温度が経時的に上下する熱源と、前記熱源の温度変化により温度が経時的に上下され、電気分極する第１デバイスと、前記第１デバイスから電力を取り出すように構成される回路を形成する第２デバイスと、前記第１デバイスの温度を検知する検知手段と、前記第１デバイスに正電圧または負電圧を印加するように構成される電圧印加手段と、前記検知手段によって検知される前記第１デバイスの温度に応じて、前記電圧印加手段を制御するための制御手段とを備え、前記制御手段は、前記第１デバイスが昇温状態であるときに、前記第１デバイスに正電圧を印加し、前記第１デバイスが降温状態であるときに、前記第１デバイスに負電圧を印加するように、前記電圧印加手段を制御することを特徴としている。
【発明の効果】
【０００９】
本発明の発電システムでは、制御手段により電圧印加手段が制御され、第１デバイスが昇温状態であるときに、第１デバイスに正電圧が印加され、また、第１デバイスが降温状態であるときに、第１デバイスに負電圧が印加される。
【００１０】
そのため、本発明の発電システムによれば、第１デバイスが昇温状態であるときに電圧が印加され、降温状態であるときには電圧の印加が停止される場合などに比べ、電力の取り出し効率の向上を図ることができる。
【図面の簡単な説明】
【００１１】
【図１】図１は、本発明の発電システムの一実施形態を示す概略構成図である。
【図２】図２は、第１デバイスの温度変化と電圧印加のタイミングとの関係の一例（電力を１回取り出す形態）を示すグラフである。
【図３】図３は、第１デバイスの温度変化と電圧印加のタイミングとの関係の一例（電力を複数回取り出す形態）を示すグラフである。
【図４】図４は、本発明の発電システムが車載された一実施形態を示す概略構成図である。
【図５】図５は、図４に示す発電システムの要部拡大図である。
【発明を実施するための形態】
【００１２】
図１は、本発明の発電システムの一実施形態を示す概略構成図である。
【００１３】
図１において、発電システム１は、温度が経時的に上下する熱源２と、熱源２の温度変化により温度が経時的に上下され、電気分極する第１デバイス３と、第１デバイス３から電力を取り出すように構成される回路を形成する第２デバイス４と、第１デバイス３の温度を検知する検知手段としての温度センサ８と、第１デバイス３に電圧を印加するように構成される電圧印加手段としての電圧印加装置９と、第１デバイス３の電圧を検知するための電圧センサ３５と、電圧印加装置９の作動および停止を制御するとともに、第１スイッチ２３（後述）の動作を制御するための制御手段としての制御ユニット１０とを備えている。
【００１４】
熱源２としては、温度が経時的に上下する熱源であれば、特に制限されないが、例えば、内燃機関、発光装置などの各種エネルギー利用装置が挙げられる。
【００１５】
内燃機関は、例えば、車両などの動力を出力する装置であって、例えば、単気筒型または多気筒型が採用されるとともに、その各気筒において、多サイクル方式（例えば、２サイクル方式、４サイクル方式、６サイクル方式など）が採用される。
【００１６】
このような内燃機関では、各気筒において、ピストンの昇降運動が繰り返されており、これにより、例えば、４サイクル方式では、吸気工程、圧縮工程、爆発工程、排気工程などが順次実施され、燃料が燃焼され、動力が出力されている。
【００１７】
このような内燃機関において、排気工程では、高温の排気ガスが、排気ガス管を介して排気され、その排気ガスを熱媒体として熱エネルギーが伝達され、排気ガス管の内部温度が上昇する。
【００１８】
一方、その他の工程（排気工程を除く工程）では、排気ガス管中の排気ガス量が低減されるため、排気ガス管の内部温度は、排気工程に比べて、下降する。
【００１９】
このように、内燃機関の温度は、排気工程において上昇し、吸気工程、圧縮工程および爆発工程において下降し、つまり、経時的に上下する。
【００２０】
とりわけ、上記の各工程は、ピストンサイクルに応じて、周期的に順次繰り返されるため、内燃機関における各気筒の排気ガス管の内部は、上記の各工程の繰り返しの周期に伴って、周期的に温度変化、より具体的には、高温状態と低温状態とが、周期的に繰り返される。
【００２１】
発光装置は、点灯（発光）時には、例えば、赤外線、可視光などの光を熱媒体として、その熱エネルギーにより温度上昇し、一方、消灯時には温度低下する。そのため、発光装置は、経時的に、点灯（発光）および消灯することにより、その温度が経時的に上下する。
【００２２】
とりわけ、例えば、発光装置が、経時的に照明の点灯および消灯が断続的に繰り返される発光装置（明滅（点滅）式の発光装置）である場合には、その発光装置は、点灯（発光）時における光の熱エネルギーにより、周期的に温度変化、より具体的には、高温状態と低温状態とが、周期的に繰り返される。
【００２３】
また、熱源２としては、さらに、例えば、複数の熱源を備え、それら複数の熱源間の切り替えにより、温度変化を生じることもできる。
【００２４】
より具体的には、例えば、熱源として、低温熱源（冷却材など）と、その低温熱源より温度の高い高温熱源（例えば、加熱材など）との２つの熱源を用意し、経時的に、それら低温熱源および高温熱源を、交互に切り替えて用いる形態が挙げられる。
【００２５】
これにより、熱源としての温度を、経時的に上下させることができ、とりわけ、低温熱源および高温熱源の切り替えを、周期的に繰り返すことにより、周期的に温度変化させることができる。
【００２６】
切り替え可能な複数の熱源を備える熱源２としては、特に制限されないが、例えば、燃焼用低温空気供給系、蓄熱式熱交換器、高温ガス排気系、および、供給／排気切替弁を備えた高温空気燃焼炉（例えば、再公表９６−５４７４号公報に記載される高温気体発生装置）、例えば、高温熱源、低温熱源および水素吸蔵合金を用いた海水交換装置（水素吸蔵合金アクチュエータ式海水交換装置）などが挙げられる。
【００２７】
これら熱源２としては、上記熱源を単独使用または２種類以上併用することができる。
【００２８】
熱源２として、好ましくは、経時により周期的に温度変化する熱源が挙げられる。
【００２９】
また、熱源２として、好ましくは、内燃機関が挙げられる。
【００３０】
第１デバイス３は、熱源２の温度変化に応じて電気分極するデバイスである。
【００３１】
ここでいう電気分極とは、結晶の歪みにともなう正負イオンの変位により誘電分極し電位差が生じる現象、例えばピエゾ効果、および／または、温度変化により誘電率が変化し電位差が生じる現象、例えば焦電効果などのように、材料に起電力が発生する現象と定義する。
【００３２】
このような第１デバイス３として、より具体的には、例えば、ピエゾ効果により電気分極するデバイス、焦電効果により電気分極するデバイスなどが挙げられる。
【００３３】
ピエゾ効果は、応力または歪みが加えられたときに、その応力または歪みの大きさに応じて電気分極する効果（現象）である。
【００３４】
このようなピエゾ効果により電気分極する第１デバイス３としては、特に制限されず、公知のピエゾ素子（圧電素子）を用いることができる。
【００３５】
第１デバイス３としてピエゾ素子が用いられる場合には、ピエゾ素子は、例えば、その周囲が固定部材により固定され、熱源２に接触するか、または、熱源２の熱を伝達する熱媒体（上記した排気ガス、光など）に接触（曝露）されるように配置される。
【００３６】
固定部材としては、特に制限されず、例えば、後述する第２デバイス４（例えば、電極など）を用いることもできる。
【００３７】
そして、このような場合には、ピエゾ素子は、熱源２の経時的な温度変化により、（場合により熱媒体（上記した排気ガス、光など）を介して）加熱または冷却され、これにより、膨張または収縮する。
【００３８】
このとき、ピエゾ素子は、固定部材により体積膨張が抑制されているため、ピエゾ素子は、固定部材に押圧され、ピエゾ効果（圧電効果）、または、キュリー点付近での相変態により、電気分極する。これにより、詳しくは後述するが、第２デバイス４を介して、ピエゾ素子から電力が取り出される。
【００３９】
また、このようなピエゾ素子は、通常、加熱状態または冷却状態が維持され、その温度が一定（すなわち、体積一定）になると、電気分極が中和され、その後、冷却または加熱されることにより、再度、電気分極する。
【００４０】
そのため、上記したように熱源２が周期的に温度変化し、高温状態と低温状態とが周期的に繰り返される場合などには、ピエゾ素子が周期的に繰り返し加熱および冷却されるため、ピエゾ素子の電気分極およびその中和が、周期的に繰り返される。
【００４１】
その結果、後述する第２デバイス４により、電力が、周期的に変動する波形（例えば、交流、脈流など）として取り出される。
【００４２】
焦電効果は、例えば、絶縁体（誘電体）などを加熱および冷却する時に、その温度変化に応じて絶縁体が電気分極する効果（現象）であって、第１効果および第２効果を含んでいる。
【００４３】
第１効果は、絶縁体の加熱時および冷却時において、その温度変化により自発分極し、絶縁体の表面に、電荷を生じる効果とされている。
【００４４】
また、第２効果は、絶縁体の加熱時および冷却時において、その温度変化により結晶構造に圧力変形が生じ、結晶構造に加えられる応力または歪みにより、圧電分極を生じる効果（ピエゾ効果、圧電効果）とされている。
【００４５】
このような焦電効果により電気分極するデバイスとしては、特に制限されず、公知の焦電素子を用いることができる。
【００４６】
第１デバイス３として焦電素子が用いられる場合には、焦電素子は、熱源２に接触するか、または、熱源２の熱を伝達する熱媒体（上記した排気ガス、光など）に接触（曝露）されるように配置される。
【００４７】
このような場合において、焦電素子は、熱源２の経時的な温度変化により、（場合により熱媒体（上記した排気ガス、光など）を介して）加熱または冷却され、その焦電効果（第１効果および第２効果を含む）により、電気分極する。これにより、詳しくは後述するが、第２デバイス４を介して、焦電素子から電力が取り出される。
【００４８】
また、このような焦電素子は、通常、加熱状態または冷却状態が維持され、その温度が一定になると、電気分極が中和され、その後、冷却または加熱されることにより、再度、電気分極する。
【００４９】
そのため、上記したように熱源２が周期的に温度変化し、高温状態と低温状態とが周期的に繰り返される場合などには、焦電素子が周期的に繰り返し加熱および冷却されるため、焦電素子の電気分極およびその中和が、周期的に繰り返される。
【００５０】
その結果、後述する第２デバイス４により、電力が、周期的に変動する波形（例えば、交流、脈流など）として取り出される。
【００５１】
これら第１デバイス３は、単独使用または２種類以上併用することができる。
【００５２】
このような第１デバイス３として、具体的には、上記したように、公知の焦電素子（例えば、ＢａＴｉＯ３、ＣａＴｉＯ３、（ＣａＢｉ）ＴｉＯ３、ＢａＮｄ２Ｔｉ５Ｏ１４、ＢａＳｍ２Ｔｉ４Ｏ１２、チタン酸ジルコン酸鉛（ＰＺＴ：Ｐｂ（Ｚｒ，Ｔｉ）Ｏ３）など）、公知のピエゾ素子（例えば、水晶（ＳｉＯ２）、酸化亜鉛（ＺｎＯ）、ロッシェル塩（酒石酸カリウム−ナトリウム）（ＫＮａＣ４Ｈ４Ｏ６）、チタン酸ジルコン酸鉛（ＰＺＴ：Ｐｂ（Ｚｒ，Ｔｉ）Ｏ３）、ニオブ酸リチウム（ＬｉＮｂＯ３）、タンタル酸リチウム（ＬｉＴａＯ３）、リチウムテトラボレート（Ｌｉ２Ｂ４Ｏ７）、ランガサイト（Ｌａ３Ｇａ５ＳｉＯ１４）、窒化アルミニウム（ＡｌＮ）、電気石（トルマリン）、ポリフッ化ビニリデン（ＰＶＤＦ）など）、Ｃａ３（ＶＯ４）２、Ｃａ３（ＶＯ４）２／Ｎｉ、ＬｉＮｂＯ３、ＬｉＮｂＯ３／Ｎｉ、ＬｉＴａＯ３、ＬｉＴａＯ３／Ｎｉ、Ｌｉ（Ｎｂ０．４Ｔａ０．６）Ｏ３、Ｌｉ（Ｎｂ０．４Ｔａ０．６）Ｏ３／Ｎｉ、Ｃａ３｛（Ｎｂ，Ｔａ）Ｏ４｝２、Ｃａ３｛（Ｎｂ，Ｔａ）Ｏ４｝２／Ｎｉなどを用いることができる。
【００５３】
また、第１デバイス３としては、さらに、ＬａＮｂＯ３、ＬｉＮｂＯ３、ＫＮｂＯ３、ＭｇＮｂＯ３、ＣａＮｂＯ３、（Ｋ１／２Ｎａ１／２）ＮｂＯ３、（Ｋ１／２Ｎａ１／２）ＮｂＯ３／Ｎｉ、（Ｂｉ１／２Ｋ１／４Ｎａ１／４）ＮｂＯ３、（Ｓｒ１／１００（Ｋ１／２Ｎａ１／２）９９／１００）ＮｂＯ３、（Ｂａ１／１００（Ｋ１／２Ｎａ１／２）９９／１００）ＮｂＯ３、（Ｌｉ１／１０（Ｋ１／２Ｎａ１／２）９／１０）ＮｂＯ３、Ｓｒ２ＮａＮｂ５Ｏ１５、Ｓｒ１９／１０Ｃａ１／１０ＮａＮｂ５Ｏ１５、Ｓｒ１９／１０Ｃａ１／１０ＮａＮｂ５Ｏ１５／Ｎｉ、Ｂａ２ＮａＮｂＯ１５、Ｂａ２Ｎｂ２Ｏ６、Ｂａ２ＮａＮｂＯ１５／Ｎｉ、Ｂａ２Ｎｂ２Ｏ６／Ｎｉなどの誘電体を用いることもできる。
【００５４】
第１デバイス３のキュリー点は、例えば、−７７℃以上、好ましくは、−１０℃以上であり、例えば、１３００℃以下、好ましくは、９００℃以下である。
【００５５】
また、第１デバイス３（絶縁体（誘電体））の比誘電率は、例えば、１以上、好ましくは、１００以上、より好ましくは、２０００以上である。
【００５６】
このような発電システム１では、第１デバイス３（絶縁体（誘電体））の比誘電率が高いほど、エネルギー変換効率が高く、高電圧で電力を取り出すことができるが、第１デバイス３の比誘電率が上記下限未満であれば、エネルギー変換効率が低く、得られる電力の電圧が低くなる場合がある。
【００５７】
なお、第１デバイス３（絶縁体（誘電体））は、熱源２の温度変化によって電気分極するが、その電気分極は、電子分極、イオン分極および配向分極のいずれでもよい。
【００５８】
例えば、配向分極によって分極が発現する材料（例えば、液晶材料など）では、その分子構造を変化させることにより、発電効率の向上を図ることができるものと期待されている。
【００５９】
図１において、第２デバイス４は、第１デバイス３から電力を取り出すために設けられる。
【００６０】
第２デバイス４は、上記の第１デバイス３を挟んで対向配置される１対（２つ）の電極（例えば、銅電極、銀電極など）２２、および、それら電極２２に接続される取出導線２７を備えており、第１デバイス３に電気的に接続されている。
【００６１】
より具体的には、第２デバイス４の取出導線２７は、後述する印加導線２８とは別に、第１デバイス３から電力を取り出すための環状の電気回路を形成しており、この電気回路（環状の取出導線２７）中に、第１デバイス３と、その第１デバイス３を挟んで対向配置される１対（２つ）の電極２２と、その第１デバイス３から取り出された電力が供給される第３デバイスとしてのバッテリー７とが介在されている。
【００６２】
また、取出導線２７におけるバッテリー７と電極２２との間、具体的には、第１デバイス３を挟む２点（２つの接続点Ａ）において、後述する印加導線２８の印加専用部分３２（後述）が接続されている。これにより、取出導線２７の一部（電極２２と接続点Ａとで区画される部分）が、印加導線２８（後述）として共用されている。
【００６３】
つまり、取出導線２７は、印加導線２８（後述）と共用され、詳しくは後述するように、電圧印加装置９からの電圧を第１デバイス３に印加するために用いられるとともに、第１デバイス３から電力を取り出すために用いられる共用部分２９と、印加導線２８（後述）と共用されない部分、すなわち、電圧印加装置９からの電圧を第１デバイス３に印加するためには用いられず、第１デバイス３から電力を取り出すために用いられる取出専用部分３０とを備えている。
【００６４】
共用部分２９は、取出導線２７と印加導線２８（後述）との接続点（２つの接続点Ａ）から、電極２２に至るまでの領域（具体的には、２つの接続点Ａと、それぞれの接続点Ａに近接する側の電極２２との間の領域）であって、その途中部分において、第１デバイス３および１対の電極２２が介在されている。
【００６５】
このような共用部分２９は、取出導線２７の一部であるとともに、印加導線２８（後述）の一部でもあり、そのため、第２デバイス４として電力を取り出すために用いられるとともに、電圧印加装置９（後述）として電圧を印加するためにも用いられる。
【００６６】
取出専用部分３０は、取出導線２７において共用部分２９を除く部分であって、バッテリー７が介在されている。
【００６７】
また、図示しないが、取出専用部分３０には、必要により、例えば、昇圧器、交流／直流変換器（ＡＣ−ＤＣコンバーター）などを介在させることもできる。
【００６８】
また、取出専用部分３０には、さらに、第１デバイス３から電力を取り出すための回路（取出導線２７）を開閉するための第１スイッチ２３が備えられている。
【００６９】
第１スイッチ２３としては、特に制限されず、公知のスイッチ機構を採用することができる。また、第１スイッチ２３は、後述する制御ユニット１０に電気的に接続されており（図１破線参照）、その開閉が制御されている。
【００７０】
温度センサ８は、第１デバイス３の温度を検知するため、第１デバイス３に近接または接触して設けられる。温度センサ８は、第１デバイス３の温度として、第１デバイス３の表面温度を直接検知するか、または、第１デバイス３の周囲の雰囲気温度を検知し、例えば、赤外放射温度計や、熱電対温度計などの公知の温度センサが用いられる。
【００７１】
電圧印加装置９は、第１デバイス３に正電圧または負電圧を印加するため、第１デバイス３に直接または近接して設けられている。このような電圧印加装置９は、上記の第１デバイス３に正電圧または負電圧を印加するための電圧印加電源３１、および、その電圧印加電源３１に接続される印加導線２８を備えている。
【００７２】
電圧印加電源３１としては、特に制限されないが、正電圧および負電圧を第１デバイス３に印加可能であり、また、作動（正電圧および負電圧の切り替えを含む。）および停止が切替可能な公知の電源装置が用いられる。電圧印加電源３１は、後述する制御ユニット１０に電気的に接続されており（図１破線参照）、その作動（正電圧および負電圧の切り替えを含む。）および停止が制御される。
【００７３】
印加導線２８は、上記共用部分２９を取出導線２７と共用して、取出導線２７とは別の環状の電気回路を形成しており、この電気回路（環状の印加導線２８）中に、第１デバイス３と、その第１デバイス３を挟んで対向配置される１対（２つ）の電極２２と、電圧印加電源３１とが介在されている。
【００７４】
つまり、電圧印加装置９の印加導線２８は、上記取出導線２７と共用される上記共用部分２９と、上記取出導線２７と共用されない印加専用部分３２とを備えている。
【００７５】
印加専用部分３２は、印加導線２８において共用部分２９を除く部分であって、その両端部が、それぞれ、取出導線２７の第１デバイス３に対する一方側の途中部分（一方側の接続点Ａ）と、他方側の途中部分（他方側の接続点Ａ）とに、電気的に接続されている。また、印加専用部分３２の途中部分には、電圧印加電源３１が介在されている。
【００７６】
これにより、電圧印加電源３１は、第２デバイス４の電極２２に電気的に接続されており、電極２２が、電圧印加装置９により電圧を印加するための電極として共用されている。
【００７７】
そのため、この発電システム１では、電圧印加電源３１から電圧を印加し、第２デバイス４の電極２２および取出導線２７を介して、第１デバイス３に電圧を印加することができる。
【００７８】
また、印加専用部分３２には、第１デバイス３に電圧を印加するための回路（印加導線２８）を開閉するための第２スイッチ２４が備えられている。
【００７９】
第２スイッチ２４としては、特に制限されず、公知のスイッチ機構を採用することができる。また、第２スイッチ２４は、後述する制御ユニット１０に電気的に接続されており（図１破線参照）、その開閉が制御されている。
【００８０】
電圧センサ３５は、第１デバイス３の電圧を検知するためのセンサであって、第１デバイス３を跨ぐように、共用部分２９に電気的に接続されている。電圧センサ３５としては、特に制限されず、公知のセンサが用いられる。
【００８１】
制御ユニット１０は、発電システム１における電気的な制御を実行するユニット（例えば、ＥＣＵ：Ｅｌｅｃｔｒｏｎｉｃ  Ｃｏｎｔｒｏｌ  Ｕｎｉｔ）であり、ＣＰＵ、ＲＯＭおよびＲＡＭなどを備えるマイクロコンピュータで構成されている。
【００８２】
制御ユニット１０は、温度センサ８および電圧印加装置９に電気的に接続されており（破線参照）、詳しくは後述するが、上記した温度センサ８によって検知される第１デバイス３の温度に応じて、電圧印加装置９を作動（正電圧および負電圧の切り替えを含む。）および停止させる。
【００８３】
また、制御ユニット１０は、電圧センサ３５、第２スイッチ２４および第１スイッチ２３にも電気的に接続されており、詳しくは後述するように、電圧センサ３５によって検知される第１デバイス３の電圧や、温度センサ８により検知される第１デバイス３の温度に基づいて、第２スイッチ２４および第１スイッチ２３を操作可能とし、第１デバイス３に電圧を印加するための回路、および、第１デバイス３から電力が取り出される回路を開閉可能としている（破線参照）。
【００８４】
このような発電システム１により発電するには、例えば、まず、熱源２の温度を経時的に上下、好ましくは、周期的に温度変化させ、その熱源２により、第１デバイス３を、加熱および／または冷却する。
【００８５】
そして、このような温度変化に応じて、上記した第１デバイス３を、好ましくは、周期的に電気分極させる。その後、第２デバイス４を介することにより、電力を、第１デバイス３の周期的な電気分極に応じて周期的に変動する波形（例えば、交流、脈流など）として、取り出す。
【００８６】
このような発電システム１において、熱源２の温度は、高温状態における温度が、例えば、２００〜１２００℃、好ましくは、７００〜９００℃であり、低温状態における温度が、上記の高温状態における温度未満、より具体的には、例えば、１００〜８００℃、好ましくは、２００〜５００℃であり、高温状態と低温状態との温度差が、例えば、１０〜６００℃、好ましくは、２０〜５００℃である。
【００８７】
また、それら高温状態と低温状態との繰り返し周期は、例えば、１０〜４００サイクル／秒、好ましくは、３０〜１００サイクル／秒である。
【００８８】
また、このような発電システム１では、より効率的に発電するため、第１デバイス３の温度状態に応じて、第１デバイス３に電圧を印加する。
【００８９】
すなわち、この発電システム１では、上記した熱源２による加熱および／または冷却とともに、温度センサ８によって、第１デバイス３の温度を連続的に測定し、第１デバイス３が昇温状態であるか、降温状態であるかを検知する。より具体的には、例えば、温度センサ８によって検知される第１デバイス３の温度が、予め設定された所定の値（例えば、０．２℃／ｓなど）以上上昇したときに、昇温状態であると検知され、また、第１デバイス３の温度が、予め設定された所定の値（例えば、０．２℃／ｓなど）以上下降したときに、降温状態であると検知される。
【００９０】
そして、この発電システム１では、第１デバイス３が昇温状態であると検知されたときには、制御ユニット１０によって第２スイッチ２４がＯＮ動作され、印加導線２８が閉状態とされるとともに（図１中、太実線参照）、電圧印加装置９が作動され、第１デバイス３に所定の正電圧が印加される（図２の矢印Ａ参照）。
【００９１】
印加される正電圧の大きさ（指示電圧）は、例えば、５Ｖ以上、好ましくは、５０Ｖ以上であり、例えば、５ｋＶ以下、好ましくは、１ｋＶ以下である。
【００９２】
また、正電圧の印加時間は、第１デバイス３が昇温状態である時間に対して、例えば、２％以上、好ましくは、５％以上であり、例えば、９８％以下、好ましくは、３５％以下である。
【００９３】
すなわち、第１デバイス３が昇温状態である間中、正電圧が印加され続けるのではなく、第１デバイス３が昇温状態になって所定の時間が経過した後、制御ユニット１０によって第２スイッチ２４がＯＦＦ動作され、印加導線２８が開状態とされるとともに（図１中、太２点鎖線参照）、電圧印加装置９が停止され、正電圧の印加が停止される。これにより、第１デバイス３において電力が生じる。
【００９４】
また、第１デバイスに正電圧が印加される間は、制御ユニット１０の制御により第１スイッチ２３をＯＦＦ動作させ、取出専用部分３０を開放することにより、バッテリー７を保護する。
【００９５】
すなわち、この発電システム１において、バッテリー７は、図１に示すように、印加導線２８の印加専用部分３２と、取出導線２７の取出専用部分３０とを介して、電圧印加装置９に電気的に接続されている。そのため、電圧印加装置９が作動され、第１デバイス３に正電圧が印加されるときに、その電圧が、印加導線２８の印加専用部分３２と、取出導線２７の取出専用部分３０を介して、バッテリー７に印加される場合がある。このような場合、バッテリー７の故障を惹起する場合がある。
【００９６】
そこで、上記の発電システム１では、例えば、電圧印加装置９により正電圧が第１デバイス３に印加されるタイミングで、制御ユニット１０の制御により、第１スイッチ２３がＯＦＦ動作され、取出専用部分３０が開状態とされる（図１中、太２点鎖線参照）。
【００９７】
これにより、取出専用部分３０における電流の通過が阻害される。そのため、電圧印加装置９からの正電圧が、取出専用部分３０を介してバッテリー７に印加されることを防止することができる。これにより、バッテリー７の故障を抑制することができる。
【００９８】
そして、第１デバイス３に対する電圧の印加が停止された後、所定のタイミングで第１スイッチ２３がＯＮ動作され、取出専用部分３０が閉状態とされる（図１中、太実線参照）。これにより、取出専用部分３０における電流の通過が許容され、第１デバイス３により得られた電力が、バッテリー７に蓄積される（図２の矢印Ｂ参照）。
【００９９】
電力がバッテリー７に供給されるタイミングは、特に制限されないが、昇温途中、または、昇温後かつ降温前であって、例えば、第１デバイス３に生じる電圧が所定値以上となったタイミングや、例えば、第１デバイス３の温度変化が収束した（温度変化がなくなる）タイミングなどが挙げられる。なお、第１デバイス３に生じる電力は、電圧センサ３５によりモニタリングすることができ、また、第１デバイス３の温度変化は、温度センサ８によりモニタリングすることができる。
【０１００】
なお、電力がバッテリー７に供給されるタイミングでは、制御ユニット１０によって第２スイッチ２４がＯＦＦ動作され、印加導線２８が開状態とされているため、第１デバイス３から生じた電力が電圧印加装置９の電圧印加電源３１に供給されることを抑制することができる。
【０１０１】
次いで、第１デバイス３が降温状態であると検知されたときには、制御ユニット１０によって第２スイッチ２４がＯＮ動作され、印加導線２８が閉状態とされるとともに（図１中、太実線参照）、電圧印加装置９が作動され、第１デバイス３に所定の負電圧が印加される（図２の矢印Ｃ参照）。
【０１０２】
印加される負電圧の大きさ（指示電圧）は、例えば、５Ｖ以上、好ましくは、５０Ｖ以上であり、例えば、５ｋＶ以下、好ましくは、１ｋＶ以下である。
【０１０３】
また、負電圧の印加時間は、第１デバイス３が降温状態である時間に対して、例えば、２％以上、好ましくは、５％以上であり、例えば、９８％以下、好ましくは、３５％以下である。
【０１０４】
すなわち、第１デバイス３が降温状態である間中、負電圧が印加され続けるのではなく、第１デバイス３が降温状態になって所定の時間が経過した後、制御ユニット１０によって第２スイッチ２４がＯＦＦ動作され、印加導線２８が開状態とされるとともに（図１中、太２点鎖線参照）、電圧印加装置９が停止され、負電圧の印加が停止される。これにより、第１デバイス３において電力が生じる。
【０１０５】
また、上記した正電圧の印加時と同様に、第１デバイスに負電圧が印加される間は、制御ユニット１０の制御により第１スイッチ２３をＯＦＦ動作させ、バッテリー７を保護する。
【０１０６】
すなわち、この発電システム１において、バッテリー７は、図１に示すように、印加導線２８の印加専用部分３２と、取出導線２７の取出専用部分３０とを介して、電圧印加装置９に電気的に接続されている。そのため、電圧印加装置９が作動され、第１デバイス３に負電圧が印加されるときに、その電圧が、印加導線２８の印加専用部分３２と、取出導線２７の取出専用部分３０を介して、バッテリー７に印加される場合がある。このような場合、バッテリー７の故障を惹起する場合がある。
【０１０７】
そこで、上記の発電システム１では、例えば、電圧印加装置９により負電圧が第１デバイス３に印加されるタイミングで、制御ユニット１０の制御により、第１スイッチ２３がＯＦＦ動作され、取出専用部分３０が開状態とされる（図１中、太２点鎖線参照）。
【０１０８】
これにより、取出専用部分３０における電流の通過が阻害される。そのため、電圧印加装置９からの負電圧が、取出専用部分３０を介してバッテリー７に印加されることを防止することができる。これにより、バッテリー７の故障を抑制することができる。
【０１０９】
そして、第１デバイス３に対する電圧の印加が停止された後、所定のタイミングで第１スイッチ２３がＯＮ動作され、取出専用部分３０が閉状態とされる（図１中、太実線参照）。これにより、取出専用部分３０における電流の通過が許容され、第１デバイス３により得られた電力が、バッテリー７に蓄積される（図２の矢印Ｄ参照）。
【０１１０】
電力がバッテリー７に供給されるタイミングは、特に制限されないが、降温途中、または、降温後かつ昇温前であって、例えば、第１デバイス３に生じる電圧が所定値以上となったタイミングや、例えば、第１デバイス３の温度変化が収束した（温度変化がなくなる）タイミングなどが挙げられる。なお、第１デバイス３に生じる電力は、電圧センサ３５によりモニタリングすることができ、また、第１デバイス３の温度変化は、温度センサ８によりモニタリングすることができる。
【０１１１】
なお、電力がバッテリー７に供給されるタイミングでは、制御ユニット１０によって第２スイッチ２４がＯＦＦ動作され、印加導線２８が開状態とされているため、第１デバイス３から生じた電力が電圧印加装置９の電圧印加電源３１に供給されることを抑制することができる。
【０１１２】
このように第１デバイス３の温度条件に応じて正電圧および負電圧を印加することによって、より効率的に電力をバッテリー７に取り出すことができる。
【０１１３】
また、発電システム１に第１スイッチ２３を設け、その開閉を上記のように制御することによって、良好に第１デバイス３から電力を取り出すとともに、電圧印加装置９からの電圧がバッテリー７に印加されることを抑制することができ、バッテリー７の故障を抑制することができる。
【０１１４】
また、上記の第１デバイス３は、そのキュリー点を越える環境下に曝されると損傷を生じ、発電性能が低下する場合や、発電不能となる場合がある。しかし、上記の発電システム１では、第１デバイス３が昇温されるときに電圧が印加されるので、第１デバイス３が、そのキュリー点を越える環境下に曝される場合にも、第１デバイス３が損傷することを抑制することができ、発電システム１の発電性能が低下することや、発電不能となることを抑制することができる。その結果、高温環境下においても、優れた効率で発電することができる。
【０１１５】
なお、電圧印加装置９を作動させてから上記電圧が印加される（すなわち、電場の強さが上記の所定値に達する）までの所要時間、および、電圧印加装置９を停止させてから、電場の強さが０ｋＶ／ｍｍに達するまでの所要時間は、実質的に０秒とみなすことができる。
【０１１６】
すなわち、この発電システム１では、上記所定値に満たない電圧が印加されている時間は、実質的に０秒であって、上記所定値の電圧が印加されている状態（ＯＮ）と、電圧が印加されていない状態（ＯＦＦ）とが、制御ユニット１０によって切り替えられる。
【０１１７】
このような発電システム１によれば、電圧印加装置９を作動または停止させる、つまり、ＯＮ／ＯＦＦ操作するという比較的簡易な方法によって、第１デバイス３から効率的にエネルギーを取り出すことができ、発電効率の向上を図ることができる。
【０１１８】
なお、このような発電システム１において、第１デバイス３は、その加熱および／または冷却の方法によっては、昇温および降温されることなく、定温状態（温度変化量が所定値（例えば、０．２℃／ｓ）未満）で一時的に維持される場合がある。そのような場合、第１デバイス３の昇温中およびその昇温後の定温状態中には、正電圧が印加され、一方、降温中およびその降温後の定温状態中には、負電圧が印加される。また、後述するように、熱源２として自動車の内燃機関１１が採用される場合などには、第１デバイス３は、実質的に定温状態になることなく、昇温状態および降温状態が繰り返される。
【０１１９】
そして、このような発電システム１では、制御ユニット１０により電圧印加装置９が制御され、第１デバイス３が昇温状態であるときに、第１デバイス３に正電圧が印加され、また、第１デバイス３が降温状態であるときに、第１デバイス３に負電圧が印加される。
【０１２０】
そのため、上記の発電システム１によれば、第１デバイス３が昇温状態であるときに電圧が印加され、降温状態であるときには電圧の印加が停止される場合などに比べ、降温分、より多くの電力を取り出すことができ、電力の取り出し効率の向上を図ることができる。
【０１２１】
また、このような発電システム１によれば、温度が経時的に上下する熱源２を用いるため、変動する電圧（例えば、交流電圧）を取り出すことができ、その結果、一定電圧（直流電圧）として取り出す場合に比べて、簡易な構成により、優れた効率で昇圧して、蓄電することができる。
【０１２２】
また、上記した説明では、第１デバイス３の昇温中において、第１デバイス３から電力を取り出すための回路を１回のみ閉状態としたが、例えば、第１デバイス３の昇温中において、第１デバイス３から電力を取り出すための回路を、複数回、閉状態とすることができる。つまり、第１デバイス３の昇温中に、複数回、取出専用部分３０を開閉することができる。
【０１２３】
すなわち、上記した説明では、第１デバイス３の昇温中において、所定のタイミングで第１スイッチ２３および第２スイッチ２４が切り替えられ、電圧印加装置９が停止され、また、第１デバイス３から電力を取り出すための回路が閉状態とされる（例えば、図２の矢印Ｂ）。
【０１２４】
その後、第１デバイス３の昇温中（第１デバイス３が降温状態となるまでの間）は、第１スイッチ２３および第２スイッチ２４が切り替えられることなく、取出専用部分３０の閉状態、および、電圧印加装置９の停止状態が維持される。
【０１２５】
これに対して、第１デバイス３の昇温中において、一度、第１デバイス３から電力を取り出すための回路が閉状態とされた後、その昇温中に（すなわち、降温状態を挟むことなく）、再度、取出専用部分３０を開状態とし、その後、改めて、取出専用部分３０を閉状態とすることができる。
【０１２６】
より具体的には、第１デバイス３の昇温中において、上記した所定のタイミング（例えば、図３の矢印Ｂ）で、第１デバイス３から電力を取り出すための回路が閉状態とされると、第１デバイス３から電力がバッテリー７に取り出される（閉状態１回目）。
【０１２７】
このような電力の取り出しの終了時において、第１デバイス３の昇温状態が継続している場合には、その昇温中に、第１スイッチ２３および第２スイッチ２４を切り替えることによって、再度、取出専用部分３０を開状態とし、また、電圧印加装置９を作動させることで、第１デバイス３に正電圧を印加し、また、第１デバイス３に電力を生じさせることができる（例えば、図３の矢印Ａ’）。
【０１２８】
そして、取出専用部分３０が開状態とされ、また、電圧印加装置９が作動されると、上記と同様に、再度、適宜のタイミング（例えば、図３の矢印Ｂ’）で、制御ユニット１０によって第１スイッチ２３および第２スイッチ２４が切り替えられる。これにより、第１デバイス３から電力を取り出すための回路が、閉状態とされる（閉状態２回目）。
【０１２９】
また、これとともに、制御ユニット１０の制御によって、電圧印加装置９が停止され、第１デバイス３に対する正電圧の印加が停止される。
【０１３０】
これにより、第１デバイス３から電力を取り出すことができる。
【０１３１】
なお、図示しないが、上記した２回目の電力の取り出しの終了時において、第１デバイス３の昇温状態が継続している場合には、その昇温中に、上記と同様に、取出専用部分３０を開状態とし、また、電圧印加装置９を作動させることにより、第１デバイス３に電力を生じさせることができる。そして、適宜のタイミングで、取出専用部分３０を閉状態として、第１デバイス３から電力を取り出すことができる（閉状態３回目）。
【０１３２】
以上述べたように、第１デバイス３の昇温状態中に、複数回、取出専用部分３０を閉状態とすれば、より効率よく、第１デバイス３から電力を取り出すことができる。
【０１３３】
なお、１度の昇温中において取出専用部分３０を閉状態とする回数は、特に制限されず、昇温状態の維持時間、第１デバイス３の発電性能などに応じて、適宜設定される。
【０１３４】
さらに、上記した説明では、第１デバイス３の降温中において、第１デバイス３から電力を取り出すための回路を１回のみ閉状態としたが、例えば、第１デバイス３の降温中において、第１デバイス３から電力を取り出すための回路を、複数回、閉状態とすることができる。つまり、第１デバイス３の降温中に、複数回、取出専用部分３０を開閉することができる。
【０１３５】
すなわち、上記した説明では、第１デバイス３の降温中において、所定のタイミングで第１スイッチ２３および第２スイッチ２４が切り替えられ、電圧印加装置９が停止され、また、第１デバイス３から電力を取り出すための回路が閉状態とされる（例えば、図２の矢印Ｄ）。
【０１３６】
その後、第１デバイス３の降温中（第１デバイス３が昇温状態となるまでの間）は、第１スイッチ２３および第２スイッチ２４が切り替えられることなく、取出専用部分３０の閉状態、および、電圧印加装置９の停止状態が維持される。
【０１３７】
これに対して、第１デバイス３の降温中において、一度、第１デバイス３から電力を取り出すための回路が閉状態とされた後、その降温中に（すなわち、昇温状態を挟むことなく）、再度、取出専用部分３０を開状態とし、その後、改めて、取出専用部分３０を閉状態とすることができる。
【０１３８】
より具体的には、第１デバイス３の降温中において、上記した所定のタイミング（例えば、図３の矢印Ｄ）で、第１デバイス３から電力を取り出すための回路が閉状態とされると、第１デバイス３から電力がバッテリー７に取り出される（閉状態１回目）。
【０１３９】
このような電力の取り出しの終了時において、第１デバイス３の降温状態が継続している場合には、その昇温中に、第１スイッチ２３および第２スイッチ２４を切り替えることによって、再度、取出専用部分３０を開状態とし、また、電圧印加装置９を作動させることで、第１デバイス３に負電圧を印加し、また、第１デバイス３に電力を生じさせることができる（例えば、図３の矢印Ｃ’）。
【０１４０】
そして、取出専用部分３０が開状態とされ、また、電圧印加装置９が作動されると、上記と同様に、再度、適宜のタイミング（例えば、図３の矢印Ｄ’）で、制御ユニット１０によって第１スイッチ２３および第２スイッチ２４が切り替えられる。これにより、第１デバイス３から電力を取り出すための回路が、閉状態とされる（閉状態２回目）。
【０１４１】
また、これとともに、制御ユニット１０の制御によって、電圧印加装置９が停止され、第１デバイス３に対する負電圧の印加が停止される。
【０１４２】
これにより、第１デバイス３から電力を取り出すことができる。
【０１４３】
なお、図示しないが、上記した２回目の電力の取り出しの終了時において、第１デバイス３の降温状態が継続している場合には、その降温中に、上記と同様に、取出専用部分３０を開状態とし、また、電圧印加装置９を作動させることにより、第１デバイス３に電力を生じさせることができる。そして、適宜のタイミングで、取出専用部分３０を閉状態として、第１デバイス３から電力を取り出すことができる（閉状態３回目）。
【０１４４】
以上述べたように、第１デバイス３の降温状態中に、複数回、取出専用部分３０を閉状態とすれば、より効率よく、第１デバイス３から電力を取り出すことができる。
【０１４５】
なお、１度の降温中において取出専用部分３０を閉状態とする回数は、特に制限されず、降温状態の維持時間、第１デバイス３の発電性能などに応じて、適宜設定される。
【０１４６】
なお、このような発電システム１では、必要により、取り出された電力をバッテリー７に供給する前に、第２デバイス４に接続される昇圧器（図示せず）において、周期的に変動する波形（例えば、交流、脈流など）の状態で昇圧することができ、さらに、交流／直流変換器（図示せず）において直流電圧に変換することもできる。
【０１４７】
また、上記した説明では、第３デバイスとしてバッテリー７を採用したが、第３デバイスとしては、第１デバイスから取り出された電力が供給されるデバイスであれば、特に制限されず、例えば、灯火装置など、種々の電気負荷装置を採用することができる。
【０１４８】
また、詳しくは図示しないが、第１デバイス３から取り出された電力が、第３デバイスの電気容量に対して過度に大きい場合には、例えば、取出専用部分３０に公知の電圧変換器を設け、電圧の大きさを調整することもできる。
【０１４９】
図４は、本発明の発電システムが車載された一実施形態を示す概略構成図、図５は、図４に示す発電システムの要部拡大図である。
【０１５０】
図４において、自動車２５は、内燃機関１１、触媒搭載部１２、エキゾーストパイプ１３、マフラー１４および排出パイプ１５を備えている。
【０１５１】
内燃機関１１は、エンジン１６、および、エキゾーストマニホールド１７を備えている。
【０１５２】
エンジン１６は、多気筒（４気筒型）多サイクル（４サイクル）方式のエンジンであって、各気筒に、エキゾーストマニホールド１７の分岐管１８（後述）の上流側端部が接続されている。
【０１５３】
エキゾーストマニホールド１７は、エンジン１６の各気筒から排出される排気ガスを収束するために設けられる排気多岐管であって、エンジン１６の各気筒に接続される複数（４つ）の分岐管１８（これらを区別する必要がある場合には、図４の上側から順に、分岐管１８ａ、分岐管１８ｂ、分岐管１８ｃおよび分岐管１８ｄと称する。）と、それら分岐管１８の下流側において、各分岐管１８を１つに統合する集気管１９とを備えている。
【０１５４】
また、各分岐管１８は、その流れ方向途中において、箱型空間２０を、それぞれ１つ備えている。箱型空間２０は、分岐管１８に連通するように介装される略直方体状の空間であって、その内側において、複数の第１デバイス３と、第２デバイス４とを備えている（図５参照）。
【０１５５】
なお、図４においては、複数の第１デバイス３を簡略化し、１つの箱型空間２０に対して、１つの第１デバイス３を示している。
【０１５６】
このようなエキゾーストマニホールド１７では、分岐管１８の上流側端部が、それぞれ、エンジン１６の各気筒に接続されるとともに、分岐管１８の下流側端部と集気管１９の上流側端部とが接続されている。また、集気管１９の下流側端部は、触媒搭載部１２の上流側端部に接続されている。
【０１５７】
触媒搭載部１２は、例えば、触媒担体およびその担体上にコーティングされる触媒を備えており、内燃機関１１から排出される排気ガスに含まれる炭化水素（ＨＣ）、窒素酸化物（ＮＯｘ）、一酸化炭素（ＣＯ）などの有害成分を浄化するために、内燃機関１１（エキゾーストマニホールド１７）の下流側端部に接続されている。
【０１５８】
エキゾーストパイプ１３は、触媒搭載部１２において浄化された排気ガスをマフラー１４に案内するために設けられており、上流側端部が触媒搭載部１２に接続されるとともに、下流側端部がマフラー１４に接続されている。
【０１５９】
マフラー１４は、エンジン１６（とりわけ、爆発工程）において生じる騒音を、静音化するために設けられており、その上流側端部がエキゾーストパイプ１３の下流側端部に接続されている。また、マフラー１４の下流側端部は、排出パイプ１５の上流側端部に接続されている。
【０１６０】
排出パイプ１５は、エンジン１６から排出され、エキゾーストマニホールド１７、触媒搭載部１２、エキゾーストパイプ１３およびマフラー１４を順次通過し、浄化および静音化された排気ガスを、外気に放出するために設けられており、その上流側端部がマフラー１４の下流側端部に接続されるとともに、その下流側端部が、外気に開放されている。
【０１６１】
そして、この自動車２５は、上記した発電システム１を搭載している。
【０１６２】
発電システム１は、上記したように、熱源２、第１デバイス３、第２デバイス４、バッテリー７、温度センサ８、電圧印加装置９、電圧センサ３５および制御ユニット１０を備えている。
【０１６３】
この発電システム１では、熱源２として、内燃機関１１のエンジン１６が用いられており、また、拡大図および図５が参照されるように、各分岐管１８の箱型空間２０内には、第１デバイス３が配置されている。
【０１６４】
第１デバイス３は、シート状に形成されており、箱型空間２０内において、互いに間隔を隔てて複数整列配置されるとともに、図示しない第２デバイス４（および必要により設けられる固定部材（図示せず））により、固定されている。
【０１６５】
これにより、第１デバイス３の表面および裏面の両面、さらには、周側面は、図示しない第２デバイス４を介して、箱型空間２０内の外気に露出され、排気ガスに接触（曝露）可能とされている。
【０１６６】
第２デバイス４は、図４の拡大図に示すように、第１デバイス３を挟んで対向配置される２つの電極２２、および、それら電極２２に接続される取出導線２７を備えている。
【０１６７】
各電極２２は、各第１デバイス３の外側において互いに対向し、第１デバイス３を間に介在させるように配置されている。
【０１６８】
取出導線２７は、上記したように、共用部分２９と取出専用部分３０とを備えており、共用部分２９において、印加導線２８と共用されている。また、取出専用部分３０には、第１デバイスから電力を取り出すための回路を開閉するための第１スイッチ２３が備えられている。
【０１６９】
また、取出導線２７は、分岐導線であって、図４に示すように、各電極２２を並列的に接続している。また、取出導線２７は、各第１デバイス３と、その第１デバイス３を挟んで対向配置される１対（２つ）の電極２２と、第１デバイス３および第２デバイス４により取り出された電力を蓄電するためのバッテリー７とを含む環状の電気回路を、複数の第１デバイス３のそれぞれに応じて、複数形成している。
【０１７０】
なお、図示しないが、第２デバイス４の取出導線２７と、バッテリー７との間には、例えば、昇圧器、交流／直流変換器（ＡＣ−ＤＣコンバーター）などが介在されていてもよい。
【０１７１】
また、図４では、各箱型空間２０内において、１つの第１デバイス３と、その第１デバイス３を挟んで対向配置される一対の電極２２、および、その電極２２に接続される取出導線２７とを模式的に示している。
【０１７２】
温度センサ８は、図４の拡大図に示すように、各分岐管１８内において、複数の第１デバイス３の上流側（排気ガスの流れ方向）近傍に配置され、それらの温度を検知可能に設けられている。
【０１７３】
なお、温度センサ８は、複数の第１デバイス３（図５参照）の温度を検知できるように設けることができれば、その数は特に制限されず、必要により単数または複数設けられる。
【０１７４】
電圧印加装置９は、電圧印加電源３１および印加導線２８を備えている。
【０１７５】
印加導線２８は、上記したように、共用部分２９と印加専用部分３２とを備えており、共用部分２９において、取出導線２７と共用されている。
【０１７６】
すなわち、印加導線２８は、第２デバイス４の取出導線２７の一部（共用部分２９）を共用するとともに、第２デバイス４の電極２２に電気的に接続されている。また、印加導線２８は、各第１デバイス３と、その第１デバイス３を挟んで対向配置される１対（２つ）の電極２２と、電圧印加電源３１とを含む環状の電気回路を、複数の第１デバイス３のそれぞれに応じて、複数形成している。
【０１７７】
そして、第２デバイス４の電極２２が、電圧印加装置９により電圧を印加するための電極として共用されている。また、第２デバイス４の取出導線２７の一部（共用部分２９）が、電圧印加装置９により電圧を印加するための印加導線２８の一部として共用されている。
【０１７８】
そのため、この発電システム１では、電極２２に電圧印加電源３１から電圧を印加することにより、電極２２間、すなわち、第１デバイス３に電圧を印加することができる。
【０１７９】
電圧センサ３５は、複数の第１デバイス３（図５参照）のそれぞれに対応するように複数設けられ、各第１デバイス３を跨ぐように、共用部分２９に電気的に接続されており、第１デバイス３の電圧をモニタリング可能としている。
【０１８０】
制御ユニット１０は、箱型空間２０の外部において、破線で示すように、温度センサ８および電圧印加装置９に電気的に接続されている。
【０１８１】
具体的には、制御ユニット１０は、分岐導線などによって、各箱型空間２０に設けられる温度センサ８のそれぞれに並列的に接続されるとともに、電圧印加装置９に接続されている。
【０１８２】
また、図４において図示しないが、制御ユニット１０は、分岐導線などによって、各電圧センサ３５および各第１スイッチ２３のそれぞれに並列的に接続されている（図１参照）。
【０１８３】
そして、このような自動車２５では、エンジン１６の駆動により、各気筒において、ピストンの昇降運動が繰り返され、吸気工程、圧縮工程、爆発工程および排気工程が順次実施され、その温度が経時的に上下される。
【０１８４】
より具体的には、例えば、分岐管１８ａに接続される気筒、および、分岐管１８ｃに接続される気筒の２つの気筒において、ピストンが連動し、吸気工程、圧縮工程、爆発工程および排気工程が、同位相で実施される。これにより、燃料が燃焼され、動力が出力されるとともに、高温の排気ガスが、分岐管１８ａおよび分岐管１８ｃの内部を排気工程において通過する。
【０１８５】
このとき、エンジン１６の熱が、排気ガス（熱媒体）を介して伝達され、分岐管１８ａおよび分岐管１８ｃの内部温度は、排気工程において上昇し、その他の工程（吸気工程、圧縮工程、爆発工程）において下降するので、ピストンサイクルに応じて、経時的に上下し、高温状態と低温状態とが、周期的に繰り返される。
【０１８６】
一方、それら２つの気筒とはタイミングを異にして、分岐管１８ｂに接続される気筒、および、分岐管１８ｄに接続される気筒の２つの気筒において、ピストンが連動し、吸気工程、圧縮工程、爆発工程および排気工程が、同位相で実施される。これにより、燃料が燃焼され、動力が出力されるとともに、分岐管１８ａおよび分岐管１８ｃとは異なるタイミングにおいて、高温の排気ガスが、分岐管１８ｂおよび分岐管１８ｄの内部を排気工程において通過する。
【０１８７】
このとき、エンジン１６の熱が、排気ガス（熱媒体）を介して伝達され、分岐管１８ｂおよび分岐管１８ｄの内部温度は、排気工程において上昇し、その他の工程（吸気工程、圧縮工程、爆発工程）において下降するので、ピストンサイクルに応じて、経時的に上下し、高温状態と低温状態とが、周期的に繰り返される。
【０１８８】
この周期的な温度変化は、分岐管１８ａおよび分岐管１８ｃの周期的な温度変化とは、周期が同じである一方、位相が異なる。
【０１８９】
そして、この発電システム１では、上記したように、各分岐管１８の内部（箱型空間２０内）に、シート状の第１デバイス３が配置されている。
【０１９０】
そのため、エンジン１６（熱源２）から排出される排気ガスが、分岐管１８内に導入され、箱型空間２０内に充填されると、その箱型空間２０内において、第１デバイス３の表面および裏面の両面（さらには、周側面）が、（第２デバイス４を介して）排気ガス（熱媒体）に接触（曝露）され、加熱および／または冷却される。
【０１９１】
すなわち、第１デバイス３の表面および裏面の両面が、エンジン１６（熱源２）、および、そのエンジン１６の熱を伝達する熱媒体の経時的な温度変化により、加熱および／または冷却される。
【０１９２】
そして、これにより、第１デバイス３を、周期的に高温状態または低温状態にすることができ、第１デバイス３を、その素子（例えば、ピエゾ素子、焦電素子など）に応じた効果（例えば、ピエゾ効果、焦電効果など）により、電気分極させることができる。
【０１９３】
そのため、この発電システム１では、第２デバイス４を介して、各第１デバイス３から電力を周期的に変動する波形（例えば、交流、脈流など）として、取り出すことができる。
【０１９４】
また、この発電システム１では、上記したように、第１デバイス３の温度を温度センサ８によって連続的に検知する。
【０１９５】
そして、上記したように、第１デバイス３が昇温状態であるときには、第１デバイス３に正電圧を印加し、第１デバイス３が降温状態であるときには、第１デバイス３に負電圧を印加する。
【０１９６】
そして、制御ユニット１０の制御によって、上記した所定のタイミングで電圧の印加を停止させ、また、所定のタイミングで第１スイッチ２３を切り替えることにより、第１デバイス３から電力を取り出すことができる。
【０１９７】
そして、このような発電システム１でも、制御ユニット１０により電圧印加装置９が制御され、第１デバイス３が昇温状態であるときに、第１デバイス３に正電圧が印加され、また、第１デバイス３が降温状態であるときに、第１デバイス３に負電圧が印加される。
【０１９８】
そのため、上記の発電システム１によれば、第１デバイス３が昇温状態であるときに電圧が印加され、降温状態であるときには電圧の印加が停止される場合などに比べ、電力の取り出し効率の向上を図ることができる。
【０１９９】
また、この発電システム１では、分岐管１８ａおよび分岐管１８ｃの温度と、分岐管１８ｂおよび分岐管１８ｄの温度とが、同じ周期、かつ、異なる位相で周期的に変化するため、電力を、周期的に変動する波形（例えば、交流、脈流など）として、連続的に取り出すことができる。
【０２００】
そして、排気ガスは、各分岐管１８を通過した後、集気管１９に供給され、集気された後、触媒搭載部１２に供給され、その触媒搭載部１２に備えられる触媒により浄化される。その後、排気ガスは、エキゾーストパイプ１３に供給され、マフラー１４において静音化された後、排出パイプ１５を介して、外気に排出される。
【０２０１】
このとき、各分岐管１８内を通過する排気ガスは、集気管１９において集気されるので、集気管１９、触媒搭載部１２、エキゾーストパイプ１３、マフラー１４および排出パイプ１５を順次通過する排気ガスは、その温度が、平滑化されている。
【０２０２】
そのため、温度が平滑化されたこのような排気ガスを通過させる集気管１９、触媒搭載部１２、エキゾーストパイプ１３、マフラー１４および排出パイプ１５の温度は、通常、経時的に上下することなく、ほぼ一定である。
【０２０３】
そのため、集気管１９、触媒搭載部１２、エキゾーストパイプ１３、マフラー１４または排出パイプ１５を熱源２として用い、その周囲または内部に、上記した第１デバイス３を配置する場合には、第１デバイス３から取り出される電力は、その電圧が小さく、また、一定（直流電圧）である。
【０２０４】
そのため、このような方法では、得られる電力を、簡易な構成で効率良く昇圧することができず、蓄電効率に劣るという不具合がある。
【０２０５】
一方、上記したように、分岐管１８の内部空間に第１デバイス３を配置すれば、熱源２の経時的な温度変化により、第１デバイス３を、周期的に高温状態または低温状態にすることができ、第１デバイス３を、そのデバイス（例えば、ピエゾ素子、焦電素子など）に応じた効果（例えば、ピエゾ効果、焦電効果など）により、周期的に電気分極させることができる。
【０２０６】
そのため、この発電システム１では、第２デバイス４を介して、各第１デバイス３から電力を周期的に変動する波形（例えば、交流、脈流など）として、取り出すことができる。
【０２０７】
その後、この方法では、必要により、上記により得られた電力を、第２デバイス４に接続される昇圧器（図示せず）において、周期的に変動する波形（例えば、交流、脈流など）の状態で昇圧し、次いで、必要により、昇圧された電力を、交流／直流変換器（図示せず）において直流電圧に変換した後、バッテリー７に蓄電する。バッテリー７に蓄電された電力は、自動車２５や、自動車２５に搭載される各種電気部品の動力などとして、適宜、用いることができる。
【０２０８】
そして、このような発電システム１によれば、温度が経時的に上下する熱源２を用いるため、変動する電圧（例えば、交流電圧）を取り出すことができ、その結果、一定電圧（直流電圧）として取り出し、ＤＣ−ＤＣコンバーターで変換する場合に比べて、優れた効率で昇圧して、蓄電することができる。
【０２０９】
なお、上記した説明では、第３デバイスとしてバッテリー７を採用したが、第３デバイスとしては、第１デバイスから取り出された電力が供給されるデバイスであれば、特に制限されず、例えば、ヘッドライトなど、種々の電気負荷装置を採用することができる。
【０２１０】
また、詳しくは図示しないが、第１デバイス３から取り出された電力が、第３デバイスの電気容量に対して過度に大きい場合には、例えば、取出専用部分３０に公知の電圧変換器を設け、電圧の大きさを調整することもできる。
【０２１１】
なお、温度変化により電気分極する第１デバイス３が、ピエゾ素子である場合などには、温度上昇により結晶構造に歪みが生じ、分極するため、その歪みが緩和される温度下降時には、電気分極を生じないと考えられるが、本発明によれば、上記したように、温度下降時にも負電圧を印加することによって、電力の取り出し効率の向上を図ることができる。
【符号の説明】
【０２１２】
１      発電システム
２      熱源
３      第１デバイス
４      第２デバイス
５      温度センサ
７      バッテリー
９      電圧印加装置
１０    制御ユニット
【図１】
0006368619.tif 000002
【図２】
0006368619.tif 000003
【図３】
0006368619.tif 000004
【図４】
0006368619.tif 000005
【図５】
0006368619.tif 000006